(57)【特許請求の範囲】
【請求項１】
ロール紙を回転自在に支持するロール紙支持部と、前記ロール紙支持部から前記ロール紙を引き出して印字ヘッドに供給するロール紙搬送部と、前記ロール紙支持部と前記印字ヘッドとの間における前記ロール紙の引出経路に配置されて前記ロール紙の用紙幅と略同一幅を有する円筒形状のダンパーローラと、前記ダンパーローラを貫通しこのダンパーローラの外周で前記ロール紙の引出経路を屈折させるように前記引出経路と直交する方向に張り渡された引張コイルスプリングとを具備し、前記引張コイルスプリングの外周には、前記ダンパーローラの両端に当接してそのダンパーローラの軸方向の動きを規制する円筒部材が嵌合されているレシートプリンタ。
【発明の詳細な説明】
【０００１】
【発明の属する技術分野】
本発明は、ロール紙を使用するレシートプリンタに関する。
【０００２】
【従来の技術】
まず、この種のレシートプリンタの従来例を図４に示す。レシートプリンタの筐体（図示せず）の内部には、相対向する側板１とメインフレーム２とが固定的に設けられている。相対向する側板１には上縁が開放された切欠３が形成され、これらの切欠３にはロール紙支持部としてのロール紙支持軸４が着脱自在に支持されている。このロール紙支持軸４はロール紙５の巻芯６を貫通状態で支持する。なお、相対向する側板１のうちの一方は、地方の側板１に対して開閉可能な扉として形成されている場合もある。
【０００３】
メインフレーム２の両側に架設された軸７にはスプリング８により上方に付勢されたヘッドフレーム９が回動自在に支持され、このヘッドフレーム９に印字ヘッドであるサーマルヘッド１０が固定的に支持されている。また、メインフレーム２の両側にはサーマルヘッド１０に対向するプラテン１１が回転自在に支持されている。このプラテン１１はモータ（図示せず）により駆動され、ロール紙５をサーマルヘッド１０に向けて引き出すロール紙搬送部としての機能を有する。さらに、メインフレーム２の両側には、プラテン１１の下流側の近傍に配置されて印字済のロール紙５をレシート単位に切断するカッタ１２が支持されている。
【０００４】
さらに、メインフレーム２にはロール紙５をサーマルヘッド１０とプラテン１１との間に導くガイド１３が設けられている。このガイド１３は、相対向してロール紙５を通すガイド板１４と、これらのガイド板１４の上部に配置された回転自在のガイドローラ１５とを有する。
【０００５】
さらに、ガイド１３にはダンパー装置１６が設けられている。このダンパー装置１６は、支点軸１７を中心に回動自在に支持されたダンパープレート１８と、このダンパープレート１８の自由端側の両側に回転自在に支持されたダンパーローラ１９と、ダンパープレート１８を反時計方向に付勢する復帰スプリング２０と、この復帰スプリング２０の付勢力によるダンパープレート１８のセット位置を規制するストッパ２０ａとを具備する。
【０００６】
次に、動作について説明する。ロール紙５はその巻芯６に通したロール紙支持軸４を側板１の切欠３に落とし込むことにより支持される。続いて、復帰スプリング２０の復帰力に抗してダンパープレート１８を解放位置に回動させ、引き出したロール紙５の先端をガイドローラ１５の上からガイド板１４の間に挿通し、サーマルヘッド１０とプラテン１１との間に相通し、復帰スプリング２０の復帰力によりダンパープレート１８をセット位置に復帰させることにより、ロール紙５がセットされる。そして、プラテン１１を反時計方向に回転させることにより、ロール紙５が引き出される。引き出されたロール紙５にはサーマルヘッド１０により所望のデータが印字され、印字済のロール紙５をカッタ１２で切断することによりレシートが発行される。
【０００７】
ここで、ダンパー装置１６の機能は、ロール紙５をサーマルヘッド１０に引き出すときに、ロール紙５に作用する張力と、ロール紙５をダンパーローラ１９で押える押圧力とのバランスをとることにより、ロール紙５をサーマルヘッド１０の上流側でダンパーローラ１９により押えて弛ませ、弛まされた部分以上のロール紙５がプラテン１１により引き出された場合は、復帰スプリング２０の付勢力に抗してダンパープレート１８を時計方向に回動させることによりロール紙５の張力の高まりを抑制し、プラテン１１が停止したときには復帰スプリング２０の復帰力によりダンパープレート１をセット位置に復帰させ、ダンパーローラ１９によってロール紙５を再び弛ませることにより、次の印字に際してロール紙５が上流側に引っ張られることがないように、ロール紙５に異常な張力が付与されないようにするものである。
【０００８】
【発明が解決しようとする課題】
従来のダンパー装置１６は、ロール紙５の下面をガイドローラ１５で押え、その上流側でロール紙５の上面をダンパープレート１８に保持されたダンパーローラ１９で押えることにより、ロール紙５の引出経路を屈折する構造である。このため、ロール紙５をセットするときにダンパープレート１８を上方に退避させ、その状態を維持しながらロール紙５をガイド板１４の間に挿通しなければならず、操作が面倒である。また、不慣れな人が操作すると、ダンパープレート１８を上方に退避させずにロール紙５をセットすることがある。このような場合には、ロール紙５をダンパーローラ１９で押えることができないのでダンパー装置１６の機能は全く果たさない。
【０００９】
本発明は、ロール紙のセットを正しく容易に行い得るようにすることを目的とするものである。
【００１０】
【課題を解決するための手段】
請求項１記載の発明は、ロール紙を回転自在に支持するロール紙支持部と、前記ロール紙支持部から前記ロール紙を引き出して印字ヘッドに供給するロール紙搬送部と、前記ロール紙支持部と前記印字ヘッドとの間における前記ロール紙の引出経路に配置されて前記ロール紙の用紙幅と略同一幅を有する円筒形状のダンパーローラと、前記ダンパーローラを貫通しこのダンパーローラの外周で前記ロール紙の引出経路を屈折させるように前記引出経路と直交する方向に張り渡された引張コイルスプリングとを具備し、前記引張コイルスプリングの外周には、前記ダンパーローラの両端に当接してそのダンパーローラの軸方向の動きを規制する円筒部材が嵌合されている。
【００１１】
したがって、ロール紙をダンパーローラの上から印字ヘッドに向けて容易に挿通することが可能である。この状態では、ダンパーローラが引張コイルスプリングを撓ませながらロール紙を下面から押し上げてロール紙の引出経路を屈折するため、ロール紙を弛ませることが可能である。また、ロール紙を引き出すときの張力の高まりをダンパーローラの下方への変位動作により吸収することが可能である。
【００１２】
また、前記引張コイルスプリングの外周には、前記ダンパーローラの両端に当接してそのダンパーローラの軸方向の動きを規制する円筒部材が嵌合されている。
【００１３】
したがって、ダンパーローラの長手方向の中心をロール紙の幅方向の中心に一致させることが可能となる。
【００１４】
【発明の実施の形態】
本発明の一実施の形態を図１ないし図３に基づいて説明する。図４に基づいて説明した部分と同一部分は同一符号を用い説明も省略する。
【００１５】
ガイド１３にはダンパー装置２１が設けられている。このダンパー装置２１は、ロール紙５の引出経路と直交する方向でメインフレーム２の両側に張り渡された引張コイルスプリング２２と、この引張コイルスプリング２２に貫通された円筒形状のダンパーローラ２３と、引張コイルスプリング２２に貫通されてダンパーローラ２３の軸方向の動きを規制する円筒部材２４とを具備する。ダンパーローラ２３及び円筒部材２４の内径は引張コイルスプリング２２の外径より僅かに大きい値に設定され、ダンパーローラ２３は円筒部材の外径よりも大きな外径に設定されている。引張コイルスプリング２２は、ダンパーローラ２３をロール紙５の下面に圧接し、このダンパーローラ２３の外周でロール紙５の引出経路を屈折させる方向に張り渡されている。さらに、メインフレーム２の一側には、プラテン１１の端部に固定したギヤ２５にモータ(図示せず)の回転を伝達する駆動ギヤ２６が設けられている。また、ロール紙支持軸４はロール紙支持部であり、プラテン１１はロール紙搬送部である。
【００１６】
このような構成において、サーマルヘッド１０とプラテン１１との間にロール紙５を通す場合には、ダンパーローラ２３の上からロール紙５をサーマルヘッド１０とプラテン１１との間に向けて挿通することができるので、ダンパーローラ２３を動かすことなくロール紙５を容易にセットすることができる。このようにロール紙５をサーマルヘッド１０とプラテン１１との間にセットした状態では、ロール紙支持軸４とサーマルヘッド１０との間におけるロール紙５の引出経路がダンパーローラ２３により屈折される。
【００１７】
本実施の形態におけるダンパー装置２１も、ロール紙５をサーマルヘッド１０に引き出すときに、ロール紙５に作用する張力と、ロール紙５をダンパーローラ２３で押える押圧力とのバランスをとることにより、ロール紙５をサーマルヘッド１０の上流側でダンパーローラ２３により押えて弛ませる機能を有する。
【００１８】
図２に示す状態は、ロール紙５に与えられ張力が一定値以下と低い場合である。この場合は、引張コイルスプリング２２とダンパーローラ２３と円筒部材２４とが略同一軸線上で並ぶ。
【００１９】
プラテン１１を回転させてロール紙５を引き出すことにより、ロール紙５に与えられる張力が一定値以上と高い場合には、ダンパーローラ２３がロール紙５により押し下げられる。この場合、引張コイルスプリング２２の両端の位置は変わらないので、円筒部材２４はダンパーローラ２３の端部から引張コイルスプリング２２の端部に向けて斜め上方に傾く状態となる。このときの引張コイルスプリング２２を撓ませながら下降するダンパーローラ２３の動作によりロール紙５に異常に高い張力が作用する状態を回避することができる。したがって、印字に際して、サーマルヘッド１０上のロール紙５が上流側に引っ張られることがなく、これにより、印字位置の乱れを防止することができる。
【００２０】
上記のように、ロール紙５の張力に応じてダンパーローラ２３は引張コイルスプリング２２を撓ませながら上下方向に変位するが、両端が円筒部材２４に当接されているため軸方向に動くことはない。これにより、常にダンパーローラ２３の軸方向の中心をロール紙５の幅方向の中心に位置させ、ロール紙５を偏ることなく支えることができる。
【００２１】
なお、図４に示す従来例においては、近接配置されたガイドローラ１５とダンパーローラ１９とによりロール紙５の引出経路を逆方向に屈折させるため、印字しない時間が長時間継続すると、ロール紙５に巻き癖がついてしまう。これに対し、本実施の形態における構成では、ロール紙支持軸４とサーマルヘッド１０との間の一箇所でロール紙５の引出経路がダンパーローラ２３により屈折されているに過ぎない。これにより、巻き癖がつきにくい。
【００２２】
なお、ロール紙５を引き出すロール紙搬送部をプラテン１１とは別に設けてもよいものである。
【００２３】
【発明の効果】
請求項１記載の発明は、ロール紙支持部と印字ヘッドとの間におけるロール紙の引出経路に配置されて前記ロール紙の用紙幅と略同一幅を有する円筒形状のダンパーローラを設け、このダンパーローラを貫通した引張コイルスプリングをダンパーローラの外周でロール紙の引出経路を屈折させるように引出経路と直交する方向に張り渡して設けたので、ロール紙をダンパーローラの上から印字ヘッドに向けて容易に挿通することができる。この状態では、ダンパーローラが引張コイルスプリングを撓ませながらロール紙を下面から押し上げてロール紙の引出経路を屈折するため、ロール紙に弛みをもたせることができ、ロール紙を引き出すときの張力の高まりをダンパーローラの下方への変位動作により吸収することができる。
【００２４】
また、引張コイルスプリングの外周には、ダンパーローラの両端に当接してそのダンパーローラの軸方向の動きを規制する円筒部材が嵌合されているので、ダンパーローラの長手方向の中心をロール紙の幅方向の中心に一致させることができる。これにより、常にダンパーローラの軸方向の中心をロール紙の幅方向の中心に位置させ、ロール紙を偏ることなく支えることができる。
【図面の簡単な説明】
【図１】（ａ）は本発明の第一の実施の形態におけるレシートプリンタの斜視図、（ｂ）はダンパーローラの支持構造を示す分解斜視図である。
【図２】ロール紙をセットした状態におけるレシートプリンタの縦断正面図である。
【図３】ダンパー装置の動作を示す縦断正面図である。
【図４】従来のレシートプリンタを示す縦断正面図である。
【符号の説明】
４  ロール紙支持部
５  ロール紙
１０  印字ヘッド
１１  ロール紙搬送部
２２  引張コイルスプリング
２３  ダンパーローラ
２４  円筒部材
【図１】
0003644823.tif 000002
【図２】
0003644823.tif 000003
【図３】
0003644823.tif 000004
【図４】
0003644823.tif 000005